(57)【要約】【課題】従来のホルダーベースは、締付けホルダーと受けホルダーの間にメータを押し付け挟圧着させ、その負荷を全てベースホルダーに掛けたので、耐圧性能維持のためベースの重量や体積が大きくなり、作業面でもコスト面でも不利であり、取付け場所や取付けスペースにも制約を受けるといった問題があった。【解決手段】メータ端部の支持機構をホルダーユニット２に構成し、ベースホルダーの堅牢性に依拠していたホルダーによるメータの支持を、ホルダー機構自体の挟圧力に分散し、メータ端部とホルダー接合部との圧着度を強化すると共に、ベースホルダーをシャフト化して軽量化とコストダウンを図るようにした。【選択図】図１
2009092393.tif 000002
【特許請求の範囲】
【請求項１】
ベースシャフトの両端に対峙する一対のホルダーユニットを設け、各ユニットは先端部に水道用メータの端部を包持し、後部に進退操作ハンドルと同ハンドルの回動によって進退するスライダーと、スライダーを挿嵌しホルダーユニットをベースシャフト上に固定支持する固定板に固定されるベースシリンダによって構成されると共に、先端包持部にメータの支持端基部を嵌着支持させて、対向する両ユニットのスライダーをそれぞれ推進することにより水道用メータ両端をそれぞれベースシャフト上に挟圧支持するようにしたことを特徴とする水道用メータホルダーベース
【請求項２】
水道用メータの端部を支持するスライダー先端に、メータの支持基端部を包み込む半円形の凹陥嵌着スペースを持つ包持嵌着片を設定するようにしたことを特徴とする請求項１記載の水道用メータホルダーベース
【請求項３】
スライダーの先端包持部下端にガイドピンを植設し、ガイドピンの先端をベースシャフト上面に穿設した案内溝に嵌入してベースシャフト上におけるスライダーの進退を案内するようにした請求項１又は請求項２記載の水道用メータホルダーベース
【請求項４】
２次側ホルダーユニットのベースシリンダ先端部に格納室を設け、逆止弁機構を格納内蔵させるように構成した請求項１又は請求項２又は請求項３記載の水道用メータホルダーベース
【発明の詳細な説明】
【技術分野】
【０００１】
本発明は、水道メータの両端を着脱可能に支持して配管部に連結する水道用メータホルダーベースに関し、メータ端部を支持するホルダーをホルダーユニットに構成してベースホルダーの堅牢性に依拠していたホルダーによる水道用メータの支持力をホルダー自体の挟圧力に分散し、メータ端部とホルダー接合部との圧着度を強化すると共に、ベースホルダーをシャフト化して軽量化とコストダウンを図るようにした水道用メータホルダーベースに関するものである。
【背景技術】
【０００２】
従来、ホルダーベースに水道用メータを支持させる場合、例えば特許文献１、２に示されるように、対向する一方のホルダーを締付けホルダー、他方を受けホルダーとして締付けホルダーのスライダーを受けホルダーに向けて推進させ、メータ端面を受けホルダーの受け面に押し付け圧着させて対峙ホルダー間にメータを挟着支持することが行われてきた。
【０００３】
また、締付けホルダーと受けホルダーは、水道用メータを支持する基盤としてホルダーベースと一体的に固定されるホルダーポートによって固定されるので、水道用メータを支持するための負荷は全てベースホルダーに掛かるように構成されてきている。
【０００４】
更に、ホルダーベースの２次側には、配管部からメータへの逆流を防止するためカートリッジ式の逆止弁ユニットが設定されるが、ユニットの設定は、例えば特許文献３に記載のように、収容スペース内にユニットを収容し、座金を嵌めてメータピースで押さえ、ガスケットを嵌着してメータの着合端を着合する等、固定的な手段が講じられてきている。
【０００５】
なお、メータホルダーベース介装用ではないが、逆止弁座と弁体をユニットとしてカートリッジ式にしたものとして、例えば特許文献４に記載のような逆止弁が存在する。
【特許文献１】特許第３６５８４５６号公報
【特許文献２】特開２００３−８３７７８号公報
【特許文献３】特開２００３−２７９３９７号公報
【特許文献４】特開平１１−９４１０４号公報
【発明の開示】
【発明が解決しようとする課題】
【０００６】
しかしながら、締付けホルダーのスライダーを受けホルダーに向けて推進させ、メータ端面を受けホルダーの受け面に押し付け圧着させて対峙ホルダー間にメータを挟着支持する方法は、メータ端面の圧着により発生する軸方向の負荷、水圧により発生する軸方向の負荷、メータ挟着後の引張荷重が全てベースホルダーに掛かるため、ベースホルダーの本体に耐圧性能がなければ変形を生じ、挟着接合部の漏水や破断といった事故につながりかねない。
【０００７】
そのため、ベースホルダーを頑強に構成する必要を生じ、ベースホルダーが重量面でも体積面でも取扱い難いものとなり、作業面での不便のほかコスト的にも不利であり、更に、取付け場所や取付けスペースにも制約を受けるといった問題がある。
【０００８】
また、メータを支持させる支持片を、受けホルダーに設定する逆止弁等の機器を固定する袋ナット等の機器固定手段と一体に形成した場合、機器固定のための螺合回動によって支持片の位置が一定の位置に締着されるとは限らないため、メータが所定位置に支持されるように位置決めするための調整作業に多くの時間と労力が必要であった。
【０００９】
更に、逆止弁ユニットの設定を上記のように固定的な手段によって行うと、締付けホルダー側の場合には、スライダー下辺部の成形加工が面倒になる問題があり、受けホルダー側で逆止弁等の機器を介装した場合には、上記問題のほか、故障修理やメンテナンスのために逆止弁ユニットを取り外す場合に、シール部材やソケット等の関係部材の取り外しが必要になるなどユニットの取り外しが極めて面倒になる問題があった。
【課題を解決するための手段】
【００１０】
本発明は上記した問題に鑑みこれに対応しようとするものであり、先端部に水道用メータの端部を包持し、後部に進退操作ハンドルと同ハンドルの回動によって進退するスライダーと、スライダーを挿嵌するベースシリンダを固定板によってベースシャフト上に固定支持する一対のホルダーユニットをベースシャフトの両端に対峙して設けると共に、先端包持部にメータの支持端基部を嵌着支持させて、対向する両ユニットのスライダーをそれぞれ推進することにより水道用メータ両端をそれぞれベースシャフト上に挟圧支持するようにした。
【００１１】
即ち、メータ端部を支持するホルダー機構をホルダーユニットに構成して、ベースホルダーの堅牢性に依拠していたホルダー機構による水道用メータの支持力をホルダー機構自体の挟圧力に分散し、メータ端部とホルダー接合部との圧着度を強化すると共に、ベースホルダーをシャフト化して軽量化とコストダウンを図るようにしたものである。
【００１２】
この構成により、メータ端面と圧着したスライダー先端が推進されると、メータの支持端基部に嵌着してメータ本体を支持する先端包持嵌着片の対向壁は、メータボディによってスライダーの推進を押し返す応力を生じ、推進されるスライダー先端と包持嵌着片の対向壁との間に強力な挟圧力を発生させる。
【００１３】
水道用メータの支持は、１次側と２次側にそれぞれ設定されたスライダーと、メータの支持基端部を包み込む半円形の凹陥スペースを持つ包持部嵌着片によって軸方向に位置決めされ、スライダーの推進による圧接力を正確に受け止めて各別に発生させる挟圧力によって行われるようにした。
【００１４】
従って、従来の押し付けによる支持方式の場合にベースホルダーに掛かった負荷は大幅に減少されるので、鋳物や鉄等による従来の堅牢なベースホルダーを用いる必要がなくなり、ベースシャフトとしての軽量化を可能とし材料節減による低コスト化や作業上の利便性を高めることができた。
【００１５】
更に、スライダーの先端包持部下端にガイドピンを植設し、その先端をベースシャフト上面に穿設した案内溝に嵌入してベースシャフト上におけるスライダーの進退を案内するように構成することにより、支持力を安定させると共にスライダーを正確に進退させて挟圧力の発生を確実なものとした。
【００１６】
また、スライダーの進退を、スライダー胴部外周の雄ねじと進退操作ハンドル内径の雌ねじとの螺合進退によって行い、スライダーを包持部嵌着片の内径に嵌挿し、その後尾部をベースシリンダに嵌装すると共に、ベースシリンダを固定板によってベースシャフト上に固定支持することにより、ホルダーユニットとベースシャフトを結合させ、メータ端部の支持を進退操作ハンドル内径の雌螺子とスライダー外周の螺進退により各ホルダー毎に各別に行えるように構成した。
【００１７】
更に、２次側ホルダーのベースシリンダ先端部に、スライダー後尾部を嵌装支持する嵌入孔を設け、ベースシリンダ先端部に螺着して通水路を構成する封止部材によって封止される逆止弁機構格納室を設けて内蔵スペースを形成し、２次側スライダーと同封止部材を取り外すだけで逆止弁の交換等を簡単に行うことができるようにした。
【実施例】
【００１８】
以下、図面を参照して本発明の実施例を説明する。１はベースシャフトで、シャフト状の金属パイプ等によって構成され、上面にスライダー２２ａ、２２ｂの進退を案内する案内溝１２ａ、１２ｂが穿設され、両側端は図１、図２に示すように床面等への取付け部１１を備えた固定板２３ａ、２３ｂが覆着され、或いは図３に示すように固定板とは別に他の部材との接続機構に構成される。
【００１９】
ベースシャフト１の両側端には、対峙する一対のホルダーユニット２Ａ、２Ｂが設けられ、各ユニットは先端部に水道用メータＷの端部Ｗａ、Ｗｂを包持し、後部に進退操作ハンドル２１ａ、２１ｂと同機構の回動によって進退するスライダー２２ａ、２２ｂと、スライダーを挿嵌しホルダーユニットをベースシャフト上に固定支持する固定板２３ａ、２３ｂに固定されるベースシリンダ２４ａ、２４ｂによって構成される。
【００２０】
スライダー２２ａ、２２ｂの先端には、メータの支持基端部Ｗａ、Ｗｂを包み込む半円形の凹陥嵌着スペース２５を持つ包持嵌着片２６が覆着され、包持嵌着片２６の後尾部に進退操作ハンドル２１がＯリング２７を介して挿嵌され、進退操作ハンドル２１内径の雌ねじ２１ｃとスライダー２２ａ、２２ｂの胴部外周にそれぞれ刻設された雄ねじ２２が螺合されて回動操作によりスライダーが螺進退するようになっている。
【００２１】
包持嵌着片２６は、筒状の先端側が半円形に突出し、対向壁２６ａによって閉止された凹陥嵌着スペース２５となっており、対向壁２６ａには水道用メータＷの端部Ｗａ、Ｗｂの基部下端と嵌合する半円形の凹陥部２６ｂが形成され、嵌合によりメータＷの端部Ｗａ、Ｗｂが凹陥嵌着スペース２５に嵌入包持されるようになっている。
【００２２】
包持嵌着片２６の後尾部は、進退操作ハンドル２１の先端部に覆着し、包持嵌着片２６の後尾部内周と進退操作ハンドル２１の先端部外周に穿設された金属リング収容溝２８ａの合成スペースに嵌着される金属リング２８によって、スライダー２２ａ、２２ｂに対して進退操作ハンドル２１ａ、２１ｂが回動可能に着合される。
【００２３】
包持嵌着片の軸心部には、前記進退操作ハンドル２１を介して１次側、２次側にそれぞれスライダー２２ａ、２２ｂが挿嵌され、その先端がメータ端部Ｗａ、Ｗｂの端面を受けて接合する接合面２２ｃ、２２ｄとなっており、対向壁２６ａと対峙して推進され、メータＷを介して１次側から２次側に通水する水路を開くと共に、進退操作ハンドル２１ａ、２１ｂ各別の操作により１次側、２次側にそれぞれ対向壁２６ａと接合面２２ｃ、２２ｄとの間にメータ端部Ｗａ、Ｗｂを挟持する挟圧力を発生させるものである。
【００２４】
包持嵌着片２６には下部に突出するガイドピン３が植設され、その下端はベースシャフト１の上面に穿設されてスライダーの進退を案内する案内溝１２ａ、１２ｂに嵌入する一方、その頂部はスライダー２２ａ、２２ｂの先端接合面２２ｃ、２２ｄの下端に形成された嵌合凹部３１と嵌合し、進退操作ハンドル２１の操作によってスライダーが共回りすることを防止する。
【００２５】
スライダーの先端接合面２２ｃ、２２ｄにはゴム等の柔軟素材によるリングシートが敷設されてメータ接合部の水密性が保持され、スライダーの後端は、ベースシャフト１上に設定された固定板２３ａ、２３ｂに固定されるベースシリンダ２４ａ、２４ｂに、Ｏリング２７によって水密性を保ちながら嵌挿され、ベースシリンダ２４の内壁面を摺動するようになっている。
【００２６】
２次側に逆止弁を設定する場合にはベースシリンダ２４ｂの先端部に逆止弁機構格納室４を設け、スライダー２２ｂの後尾部を嵌装支持する嵌入孔を設け、ベースシリンダ２４ｂ先端部に螺着して通水路を構成する押え部材５によって固定される。この構成によって、メータＷの２次側直近に逆止弁６を設定でき、２次側スライダー２２ｂと同押え部材５を取り外すだけで逆止弁の交換等を簡単に行うことができる。
【００２７】
本発明は以上のように構成したので、メータ端部の挟圧力を従来よりも強力で安定したものとし、従来のベースホルダーに代えて軽量で取扱い易いベースシャフトを用いて作業面でもコスト面でも有利に構成でき、ホルダーベースの設定環境も、固定的な構造や重量による従来の制約を開放できたものである。
【図面の簡単な説明】
【００２８】
【図１】本発明の実施例を示すもので、ホルダーユニットによって水道用メータ両端を挟着した状態を示す要部を断面とした全体側面図
【図２】同じく、ホルダーユニットによって水道メータの両端を挟着した状態をメータ部分を破線透視図として示したホルダーベースの全体平面図
【図３】同じく、ベースシャフトに固定板によって固定されたベースシリンダとホルダーユニットの関係を示す分解側断面図
【図４】同じく、包持嵌着片とスライダー及び進退操作ハンドルの着合関係を示すホルダーユニットの分解側断面図
【図５】同じく、メータ基部下端を嵌合支持する対向壁の状態を示す包持嵌着片の正面図
【図６】同じく、スライダー下端凹部とガイドピン頂部の嵌合状態を示す包持嵌着片とベースシャフトを断面としたスライダー接合面の正面図
【符号の説明】
【００２９】
１  ベースシャフト
１１  ベースシャフトの床面等への取付け部
１２ａ  ベースシャフトの１次側ガイドピン案内溝
１２ｂ  ベースシャフトの２次側ガイドピン案内溝
２Ａ  １次側ホルダーユニット
２Ｂ  ２次側ホルダーユニット
２１ａ  １次側進退操作ハンドル
２１ｂ  ２次側進退操作ハンドル
２１ｃ  進退操作ハンドル内径の雌ねじ
２２  スライダー胴部外周の雄ねじ
２２ａ  １次側スライダー
２２ｂ  ２次側スライダー
２２ｃ  １次側スライダーのメータ接合面
２２ｄ  ２次側スライダーのメータ接合面
２３ａ  １次側固定板
２３ｂ  ２次側固定板
２４ａ  １次側ベースシリンダ
２４ｂ  ２次側ベースシリンダ
２５  メータ基部を包持する凹陥嵌着スペース
２６  包持嵌着片
２６ａ  包持嵌着片の対向壁
２６ｂ  包持嵌着片対向壁の半円形の凹陥部
２７  Ｏリング
２８  金属リング
２８ａ  金属リング収容溝
３  ガイドピン
３１  スライダーのメータ接合面下端の嵌合凹部
４  逆止弁機構格納室
５  格納室押え部材
６  逆止弁
Ｗ    水道メータ
Ｗａ  水道メータの１次側支持端基部
Ｗｂ  水道メータの２次側支持端基部
【図１】
2009092393.tif 000003
【図２】
2009092393.tif 000004
【図３】
2009092393.tif 000005
【図４】
2009092393.tif 000006
【図５】
2009092393.tif 000007
【図６】
2009092393.tif 000008